(57)【特許請求の範囲】
【請求項１】
衣類を収容する筒状のドラムと、
前記ドラム内の空気の給排気を行う給排気手段と、
前記給排気手段によってドラム内へ供給される空気を加熱する加熱手段と、
前記ドラムの回動に伴って回転する被検知部の位置を検知する回転センサと、
前記ドラムの正逆回転を繰り返しつつ、加熱手段によって加熱された空気を温風として前記ドラム内へ送り込む乾燥運転を実行する制御手段と、
前記回転センサで検知される被検知部の位置情報に基づき、前記乾燥運転中にドラムを反転させるときのドラムの停止位置を認識する位置認識手段と、を備え、
前記制御手段は、前記ドラムの反転指示がなされると、前記回転センサで被検知部が検知されてからドラムが半回転するまでの間に、前記位置認識手段が認識するドラムの停止位置でドラムを停止させ、反転させる制御構成を有する、衣類乾燥機。
【請求項２】
衣類を収容する筒状のドラムと、
前記ドラム内の空気の給排気を行う給排気手段と、
前記給排気手段によってドラム内へ供給される空気を加熱する加熱手段と、
前記ドラムの回動に伴って回転する被検知部の位置を検知する回転センサと、
前記ドラムの正逆回転を繰り返しつつ、加熱手段によって加熱された空気を温風として前記ドラム内へ送り込む乾燥運転を実行する制御手段と、
前記回転センサで検知される被検知部の位置情報に基づき、前記乾燥運転中にドラムを反転させるときのドラムの停止位置を認識する位置認識手段と、を備え、
前記制御手段は、前記ドラムの反転指示がなされると、前記位置認識手段が認識するドラムの停止位置でドラムを停止させ、反転させる制御構成を有し、
前記位置認識手段は、前記ドラムの回転速度と、前記回転センサで被検知部が検知されてからの経過時間とに基づき、ドラムの停止位置を認識する、衣類乾燥機。
【請求項３】
衣類を収容する筒状のドラムと、
前記ドラム内の空気の給排気を行う給排気手段と、
前記給排気手段によってドラム内へ供給される空気を加熱する加熱手段と、
前記ドラムの回動に伴って回転する被検知部の位置を検知する回転センサと、
前記ドラムの正逆回転を繰り返しつつ、加熱手段によって加熱された空気を温風として前記ドラム内へ送り込む乾燥運転を実行する制御手段と、
前記回転センサで検知される被検知部の位置情報に基づき、前記乾燥運転中にドラムを反転させるときのドラムの停止位置を認識する位置認識手段と、を備え、
前記制御手段は、前記ドラムの反転指示がなされると、加熱手段による空気の加熱度合を減少させると共に、前記位置認識手段が認識するドラムの停止位置でドラムを停止させ、反転させる一方、前記ドラムの反転後に回転センサでドラムの回転が検知されると、加熱手段による空気の加熱度合を増加させる制御構成を有する、衣類乾燥機。
【発明の詳細な説明】
【技術分野】
【０００１】
本発明は、衣類乾燥機、特に、回転ドラム式の衣類乾燥機に関するものである。
【背景技術】
【０００２】
従来、回転ドラム式の衣類乾燥機において、ドラムの前壁に設けられた磁石が近接したときにオン状態となり、離間するとオフ状態となるリードスイッチを備え、このリードスイッチがオン状態になってから所定時間内に再びオン状態になるか否かによってドラムの回転状態を判定するように構成されたものが知られている（例えば、特許文献１参照）。
【先行技術文献】
【特許文献】
【０００３】
【特許文献１】特開昭６３−１８１７９７号公報
【発明の概要】
【発明が解決しようとする課題】
【０００４】
ところで、回転ドラム式の衣類乾燥機では、乾燥効率の向上を図るため、乾燥運転中にドラムを一定時間毎に反転させる構成のものが知られている。従って、この種の衣類乾燥機においても、上述したようにリードスイッチの検知情報に基づいてドラムの回転状態を判定するように構成することが考えられる。
【０００５】
しかしながら、ドラムの正逆回転を繰り返しながら乾燥運転を行う衣類乾燥機では、反転時にドラムのすべりが生じる場合がある。そのため、反転後にドラムが正常に回転しているかどうかを判定するための判定時間を長く設定しなければならない。その結果、反転時にドラムのすべりが生じてドラムが停止していると、温風が局所的に衣類に長時間当たり、衣類を傷める虞がある。
【０００６】
本発明は、上述の事情に鑑みてなされたものであり、その目的は、ドラムを正逆回転させながら乾燥運転を行なう場合に、反転時に速やかにドラムの回転を検知可能な衣類乾燥機を提供することにある。
【課題を解決するための手段】
【０００７】
本発明に係る衣類乾燥機は、衣類を収容する筒状のドラムと、
前記ドラム内の空気の給排気を行う給排気手段と、
前記給排気手段によってドラム内へ供給される空気を加熱する加熱手段と、
前記ドラムの回動に伴って回転する被検知部の位置を検知する回転センサと、
前記ドラムの正逆回転を繰り返しつつ、加熱手段によって加熱された空気を温風として前記ドラム内へ送り込む乾燥運転を実行する制御手段と、
前記回転センサで検知される被検知部の位置情報に基づき、前記乾燥運転中にドラムを反転させるときのドラムの停止位置を認識する位置認識手段と、を備え、
前記制御手段は、前記ドラムの反転指示がなされると、前記回転センサで被検知部が検知されてからドラムが半回転するまでの間に、前記位置認識手段が認識するドラムの停止位置でドラムを停止させ、反転させる制御構成を有する衣類乾燥機である。
【０００８】
上記衣類乾燥機によれば、乾燥運転中にドラムを反転させるにあたって、回転センサで検知される被検知部の位置情報に基づきドラムの停止位置を認識できるから、反転後にドラムが正常に回転していれば、所定時間内にドラムの回転を検知することができる。それゆえ、ドラムの反転指示がなされてから、反転後のドラムの回転状態を判定するまでの判定時間を短く設定することができる。また、それによって、反転時にドラムのすべりが生じ、ドラムの回転の検知に長時間を要した場合、早期に回転異常状態であると判定でき、乾燥運転を中止させることができる。
【００１０】
特に、上記衣類乾燥機によれば、ドラムの反転指示がなされると、回転センサで被検知部が検知されてからドラムが半回転するまでの間に、ドラムを停止させるから、その後、ドラムが正常に回転すれば、回転センサでドラムの回転を早期に検知することができる。よって、判定時間をより短くすることができる。
【００１１】
また、本発明に係る衣類乾燥機は、衣類を収容する筒状のドラムと、
前記ドラム内の空気の給排気を行う給排気手段と、
前記給排気手段によってドラム内へ供給される空気を加熱する加熱手段と、
前記ドラムの回動に伴って回転する被検知部の位置を検知する回転センサと、
前記ドラムの正逆回転を繰り返しつつ、加熱手段によって加熱された空気を温風として前記ドラム内へ送り込む乾燥運転を実行する制御手段と、
前記回転センサで検知される被検知部の位置情報に基づき、前記乾燥運転中にドラムを反転させるときのドラムの停止位置を認識する位置認識手段と、を備え、
前記制御手段は、前記ドラムの反転指示がなされると、前記位置認識手段が認識するドラムの停止位置でドラムを停止させ、反転させる制御構成を有し、
前記位置認識手段は、前記ドラムの回転速度と、前記回転センサで被検知部が検知されてからの経過時間とに基づき、ドラムの停止位置を認識することを特徴とするものである。
【００１２】
上記衣類乾燥機によれば、乾燥運転中にドラムを反転させるにあたって、回転センサで検知される被検知部の位置情報に基づきドラムの停止位置を認識できる。特に、このものでは、ドラムの回転速度と、被検知部が回転センサで検知されてからの経過時間とを利用することで、ドラムの停止時に回転センサから被検知部が離間した距離を認識することができる。従って、ドラムの停止位置を回転センサで検知できる位置に近接して停止させた後、反転させることができる。よって、反転後にドラムが正常に回転していれば、所定時間内にドラムの回転を検知できる。それゆえ、ドラムの反転指示がなされてから、反転後のドラムの回転状態を判定するまでの判定時間を短く設定することができる。また、反転時にドラムのすべりが生じ、ドラムの回転の検知に長時間を要した場合は、早期に回転異常状態であると判定でき、乾燥運転を中止させることができる。
【００１３】
また、本発明に係る衣類乾燥機は、衣類を収容する筒状のドラムと、
前記ドラム内の空気の給排気を行う給排気手段と、
前記給排気手段によってドラム内へ供給される空気を加熱する加熱手段と、
前記ドラムの回動に伴って回転する被検知部の位置を検知する回転センサと、
前記ドラムの正逆回転を繰り返しつつ、加熱手段によって加熱された空気を温風として前記ドラム内へ送り込む乾燥運転を実行する制御手段と、
前記回転センサで検知される被検知部の位置情報に基づき、前記乾燥運転中にドラムを反転させるときのドラムの停止位置を認識する位置認識手段と、を備え、
前記制御手段は、前記ドラムの反転指示がなされると、加熱手段による空気の加熱度合を減少させると共に、前記位置認識手段が認識するドラムの停止位置でドラムを停止させ、反転させる一方、前記ドラムの反転後に回転センサでドラムの回転が検知されると、加熱手段による空気の加熱度合を増加させる制御構成を有する衣類乾燥機である。
【００１４】
上記衣類乾燥機によれば、乾燥運転中にドラムを反転させるにあたって、回転センサで検知される被検知部の位置情報に基づきドラムの停止位置を認識できるから、反転後にドラムが正常に回転していれば、所定時間内にドラムの回転を検知することができる。それゆえ、ドラムの反転指示がなされてから、反転後のドラムの回転状態を判定するまでの判定時間を短く設定することができる。また、それによって、反転時にドラムのすべりが生じ、ドラムの回転の検知に長時間を要した場合、早期に回転異常状態であると判定でき、乾燥運転を中止させることができる。
しかも、上記衣類乾燥機によれば、ドラムを反転指示がなされると、ドラム内に送り込む空気の加熱度合を減少させるから、ドラムが停止している状態ではドラム内に高温の温風が吹き込まれない。これにより、ドラムの停止時における衣類の損傷を防ぐことができる。また、ドラムの反転後、ドラムの回転が検知された後で、ドラム内に送り込む空気の加熱度合を増加させるから、ドラムのすべりが生じている状態で高温の温風がドラム内に吹き込まれない。これにより、ドラムの回転異常による衣類の損傷を防ぐことができる。
【発明の効果】
【００１５】
以上のように、本発明によれば、ドラムが正常に回転しているか否かの判定時間を短く設定することが可能であり、ドラムの回転異常を早期に検知できる。また、乾燥運転全体の動作時間も短縮できる。
【図面の簡単な説明】
【００１６】
【図１】図１は、本発明の実施の形態に係る衣類乾燥機の側面視概略縦断面図である。
【図２】図２は、本発明の実施の形態に係る衣類乾燥機の正面視概略縦断面図である。
【図３】図３は、本発明の実施の形態に係る衣類乾燥機の乾燥運転動作を示す作動フローチャートである。
【発明を実施するための形態】
【００１７】
次に、上記した本発明を実施するための形態について、添付図面を参照しながら詳述する。
【００１８】
図１に示すように、本発明の実施の形態に係る衣類乾燥機１は、矩形箱状の本体ケース１１と、本体ケース１１の正面に開設された衣類取出口１１０をその正面側から被蓋する扉１２とでその外郭が構成されている。
【００１９】
本体ケース１１内には、その正面側に円形状の開口部１３０を有する円筒状のドラム１３が横向き姿勢で収容されている。一方、衣類取出口１１０のドラム１３側の外周縁には、円環状のリング板１４が突設されており、ドラム１３の開口部１３０の内周は、このリング板１４の外周に支持されている。また、リング板１４の後面下方位置には、ドラム１３内に収容された衣類Ｍの乾燥状態をその導通抵抗に基づいて検知する電極センサ２４が設けられている。
【００２０】
ドラム１３の奥部には、胴部１３１の後端からさらに後方へ向かって膨出する円形状の凹部１３２が形成されている。また、ドラム１３の奥壁にあたるこの凹部１３２の奥壁１３３の中央部には、円筒状の支軸１５が回動可能な状態で取り付けられている。一方、本体ケース１１内のドラム１３の後方には、ドラム支持壁１１１が立設されており、上記支軸１５の後端部は、このドラム支持壁１１１に固定されている。
【００２１】
図１および図２に示すように、ドラム１３の胴部１３１の内周面には、衣類Ｍをドラム１３の回転方向へ持ち上げ、攪拌するためのバッフル１３８が複数突設されている。また、ドラム１３の胴部１３１の外周には、伝動ベルト１６０が巻装されており、さらにその伝動ベルト１６０は、本体ケース１１内に組み込まれたドラムモータ１６に繋がっている。ドラム１３は、このドラムモータ１６の駆動力によって支軸１５を中心に回動される。
【００２２】
ドラム１３の後部で且つ凹部１３２の外周面より外側、即ち、ドラム１３におけるその回転中心より外周側には、ドラム１３の回転状態を検知するための被検知部として磁石３１が一つ取り付けられている。一方、ドラム支持壁１１１の前面側には、ドラム１３の回転に伴って上記磁石３１が正面位置に到達したときにオン状態になり、正面位置から離間するとオフ状態になる回転センサとしてリードスイッチ３２が設けられている。
【００２３】
図１に示すように、ドラム支持壁１１１の後面側には、図示しない給気口から本体ケース１１内へ取り込まれる室内空気や後述するバーナユニット１８から放出された燃焼ガスをドラム１３内へ送り込むための温風ダクト１７が配設されている。
【００２４】
温風ダクト１７は、ドラム支持壁１１１の後面上部から下方へ向かって延設されており、その下端部には、後述する給排気ファン２２によってドラム１３内へ取り込まれる室内空気を加熱する加熱手段としてバーナユニット１８が組み込まれている。
【００２５】
バーナユニット１８は、図示しないガスバーナや弁装置等で構成されており、その弁装置の比例弁が開放されると、所定量のガスを、ベンチュリ効果によってバーナユニット１８の周辺へ導かれる空気と共にガスバーナ内へ送り込み、さらにそのガスバーナの炎孔上方で着火させ、その燃焼ガスを温風ダクト１７内へ放出する。
【００２６】
温風ダクト１７の前面上部に設けられたガス出口１７０は、ドラム支持壁１１１の上部に設けられたダクト接続孔１１２を介してドラム支持壁１１１とドラム１３の奥壁１３３との間隙（以下、「奥壁裏通路」という）１０１に繋がっており、本体ケース１１内へ取り込まれる室内空気やバーナユニット１８から温風ダクト１７へ放出される燃焼ガスは、このガス出口１７０を通って奥壁裏通路１０１へ送り込まれる。
【００２７】
奥壁１３３の前面部外周には、その略全周に亘って複数の小円孔（以下、「温風入口」という）１３５が穿設されており、奥壁裏通路１０１は、これら温風入口１３５を介してドラム１３の奥壁１３３と後述するカバー板１５３との間隙（以下、「カバー裏通路」という）１０２に繋がっている。
【００２８】
支軸１５の前端部には、その外周方向へ広がる略円板状の固定フランジ１５２が固設されており、さらにこの固定フランジ１５２の前面には、奥壁１３３の前面の略全体をドラム１３の内側から覆う円板状のカバー板１５３が固設されている。奥壁裏通路１０１へ送り込まれる室内空気や燃焼ガスは、上記温風入口１３５を通ってこのカバー板１５３と奥壁１３３との間に設けられたカバー裏通路１０２へ導かれる。
【００２９】
図１および図２に示すように、カバー板１５３の前面部外周の下方位置には、複数の小円孔（以下、「温風吹出口」という）１５０が穿設されており、カバー裏通路１０２は、これら温風吹出口１５０を介してドラム１３の内部空間に繋がっている。
【００３０】
図１に示すように、扉１２の内側（衣類取出口１１０側）には、扉１２が閉じられた状態において衣類取出口１１０に嵌挿される円形台状の前蓋部１２０が形成されており、さらにその前蓋部１２０の中央には、複数の小円孔（以下、「温風排出口」という）１２１を有するフィルタカバー１２２が着脱可能な状態で取り付けられている。
【００３１】
温風排出口１２１は、フィルタカバー１２２の内側に取り付けられたエアフィルタ１２３を介して前蓋部１２０の内部空間１０３へ繋がっている。また、前蓋部１２０の外周上部には、扉１２が閉じられた状態において、衣類取出口１１０の内周上部に開設された排気入口１１４に連通する連結口１２４が開設されている。
【００３２】
本体ケース１１内におけるドラム１３の上方位置には、上記前蓋部１２０の内部空間１０３と本体ケース１１の外部とを繋ぐ排気ダクト２１が形成されている。この排気ダクト２１は、一端側が上記排気入口１１４に繋がり、他端側が本体ケース１１の上面に開設された排気出口１１５に繋がっている。
【００３３】
排気ダクト２１の中間部には、本体ケース１１内へ室内空気を取り込み、さらにその室内空気やバーナユニット１８から放出された燃焼ガスをドラム１３内へ導き、排気ダクト２１を通じて本体ケース１１の外部へ排出させる給排気手段として給排気ファン２２が組み込まれている。この給排気ファン２２は、ファンモータ２３に接続されており、このファンモータ２３の駆動力によって回動される。また、排気ダクト２１の下流側で且つ排気出口１１５の近傍には、ドラム１３内から排出される空気の温度を検知するための排気温センサ２５が設けられている。
【００３４】
上記ドラムモータ１６やバーナユニット１８の弁装置、ファンモータ２３、電極センサ２４、排気温センサ２５、リードスイッチ３２は、本体ケース１１内に組み込まれた制御回路４０に電気配線を通じて接続されている。
【００３５】
制御回路４０は、ドラム１３の回転や停止を行うドラム作動回路、給排気ファン２２の回転や停止を行うファン作動回路、上記ガスバーナの点火や消火を行う点消火回路、上記比例弁の開度を調整する火力調整回路、ドラム１３の反転動作を指示する反転指示回路、リードスイッチ３２のオン状態に合わせて出力される回転パルスを検知し、ドラム１３の回転状態を判定する回転判定回路、後述する待機時間や位置補正時間等の各経過時間を計測するタイマ回路、位置補正時間と、ドラムモータ１６の出力に基づき予測されるドラム１３の回転速度とから、ドラム１３の停止位置を認識する位置認識回路、衣類Ｍの乾燥状態に基づいて乾燥運転の終了時期を判定する乾燥判定回路、ドラム１３の回転異常を図示しないスピーカや表示部に報知させる異常報知回路等によって構成されており、これら各回路によって衣類Ｍの乾燥運転が行われる。
【００３６】
次に、上記制御回路４０による衣類乾燥機１の乾燥運転動作を、図３の作動フローチャートに従って説明する。
【００３７】
ドラム１３内に衣類Ｍが投入され、乾燥運転の開始操作がなされると、ファンモータ２３を駆動して給排気ファン２２を回転させるとともに、ドラムモータ１６を駆動してドラム１３を正方向へ回転させ、さらにバーナユニット１８のガスバーナを点火する。すると、本体ケース１１内の空気がバーナユニット１８から放出された燃焼ガスによって所定温度（例えば、１５０℃）まで加熱されつつ、その燃焼ガスと共に温風ダクト１７内へ導かれ、さらに奥壁裏通路１０１を通ってカバー裏通路１０２へ導かれ、温風として温風吹出口１５０からドラム１３内の下域（底部周辺）へ向けて送り出される。そして、そのドラム１３内へ供給された燃焼ガスや高温の空気は、衣類Ｍの水分を蒸発させつつ扉１１の内側の温風排出口１２１から前蓋部１２０の内部空間１０３へ排出され、さらに排気ダクト２１を通って排気出口１１５から本体ケース１１の外部へ排出される。その結果、衣類Ｍは、回転するドラム１３内で攪拌されながら、次第に乾燥していく（ＳＴ１）。
【００３８】
また、上記ガスバーナが点火された後、ドラム１３を現在の回転方向と逆方向へ回転させる反転指示がなされたか否かを判定する。尚、本実施の形態では、運転モードに応じて設定された間隔で反転指示がなされる（ＳＴ２）。
【００３９】
その結果、ドラム１３の反転指示がなされていなければ（ＳＴ２のステップでＮｏ）、後述する乾燥運転の終了時期の判定（ＳＴ１３のステップ）を行い、反転指示がなされた場合（ＳＴ２のステップでＹｅｓ）には、その時点でバーナユニット１８に組み込まれた比例弁を閉じてガスバーナを消火させ、空気の加熱を停止させる。このとき、ドラム１３および給排気ファン２２は共に回転状態で維持される（ＳＴ３）。
【００４０】
そして、上記加熱を停止させた時点から所定の待機時間（ここでは、５秒）が経過したか否かの監視を開始し、上記待機時間が経過すれば、リードスイッチ３２のオン状態を示す回転パルスが１回検知されてから、さらにドラム１３の回転によりリードスイッチ３２がオフ状態となる所定の位置補正時間（ここでは、０．０５秒）が経過するのを待ってドラムモータ１６を停止させ、ドラム１３の回転を停止させる。即ち、本実施の形態では、待機時間、待機時間が経過してから回転パルスが１回検知されるまでに要する時間、および、位置補正時間を合わせた所定時間の経過後にドラム１３の回転を停止させる（ＳＴ４〜ＳＴ７）。尚、このとき、給排気ファン２２は回転状態で維持される。
【００４１】
上記待機時間は、バーナユニット１８によって加熱された温風ダクト１７内の高温の空気がドラム１３内へ送り出されるまでに要する時間と略同一に設定されている。また、上記位置補正時間は、ドラム１３が乾燥運転中の回転速度で正常に回転している状態において、リードスイッチ３２が磁石３１の通過を検知するオン状態から、磁石３１がリードスイッチ３２の検知可能な範囲を超えてオフ状態になるまでに要する時間と略同一に設定されている。従って、この位置補正時間と、ドラムモータ１６の出力から予測されるドラム１３の回転速度とから、ドラム１３の停止位置が認識される。尚、ドラム１３の回転速度は、乾燥運転の種類に応じて設定されるドラムモータ１６の出力や乾燥させる衣類の量等によって変動する。
【００４２】
ＳＴ７のステップにてドラム１３の回転を停止させてから一定時間（ここでは、０．５秒）が経過すれば、ドラムモータ１６を再駆動するとともに、そのドラムモータ１６を再駆動させてから所定の反転確認時間（ここでは、１０秒）が経過するまでの間に、回転パルスが所定回（ここでは、３回）検知されたか否かの監視を開始する（ＳＴ８〜ＳＴ１１）。従って、ドラム１３の反転後、正常にドラム１３が回転すれば、最初にリードスイッチ３２がオン状態となる回転パルスが１回目の回転パルスとして検知される。
【００４３】
そして、上記反転確認時間が経過する前に回転パルスが所定回検知された場合（ＳＴ１０のステップでＹｅｓ）は、ドラム１３が正常に回転しているとして、バーナユニット１８に組み込まれた比例弁を閉じる前の開度に戻してガスバーナを再点火させ、空気の加熱を再開させた上で、乾燥運転の終了時期に達したか否か、即ち、衣類Ｍが最適な乾燥状態になったか否かの判定を行う。尚、本実施の形態では、電極センサ２４の導通抵抗および排気温センサ２５の検知温度に基づいて衣類Ｍが最適な乾燥状態になったか否かが判定される（ＳＴ１２〜ＳＴ１３）。
【００４４】
このように、衣類Ｍが最適な乾燥状態になるまでの間、ドラム１３の反転指示がなされる毎に上述したＳＴ３からＳＴ１３のステップが繰り返され、その後、衣類Ｍが最適な乾燥状態になれば（ＳＴ１３のステップでＹｅｓ）、バーナユニット１８に組み込まれた比例弁を閉じてガスバーナを消火した後、ドラムモータ１６およびファンモータ２３を停止して給排気ファン２２およびドラム１３の回転をそれぞれ停止させ、乾燥運転を終了する（ＳＴ１４）。
【００４５】
一方、ドラムモータ１６を再駆動させてから上記反転確認時間が経過するまでの間に回転パルスが所定回検知されなかった場合（ＳＴ１１のステップでＹｅｓ）は、ドラム１３が正常に回転していない異常状態であるとして、その旨をスピーカや表示部にて報知させた上で、ガスバーナの消火、給排気ファン２２およびドラム１３の回転停止動作を行い、乾燥運転を終了させる（ＳＴ１５）。
【００４６】
上記実施の形態によれば、乾燥運転中、ドラム１３を反転させるにあたって、リードスイッチ３２がオン状態になってからオフ状態となる位置補正時間が経過するとドラム１３の回転を停止させ、その後反転させる。このとき、ドラム１３の回転速度と、リードスイッチ３２が磁石３１を検知してからの経過時間とに基づいて、ドラム１３の停止位置を認識できるようにしているから、ドラム１３が正常に回転する状態であれば、その反転直後に磁石３１がリードスイッチ３２の検知可能な領域に到達し、リードスイッチ３２がオン状態になる。従って、その分、ドラム１３の回転状態を判定するために要する時間（判定時間）を短く設定しておくことが可能である。これにより、ドラム１３の回転異常を早期に検知できるし、乾燥運転全体の動作時間も短縮できる。
【００４７】
また、ドラム１３の反転後にドラム１３の回転異常が生じている場合には、速やかに乾燥運転が中止されるから、衣類Ｍの過熱を招き難い。
【００４８】
さらに、このものでは、ドラム１３の反転指示がなされると、ドラム１３の回転を一時停止させる所定時間前に、ドラム１３内へ送り込む空気の加熱を停止させてドラム１３内に送り込む空気の加熱度合を減少させるから、ドラム１３を一時停止させてから反転させるまでの間に、その底部に停滞する衣類Ｍに対して高温の温風が当たり続けるのを確実に防止できる。しかも、バーナユニット１８からドラム１３内へ繋がる通路（温風ダクト１７、奥壁裏通路１０１、および、カバー裏通路１０２）内に残留する高温の空気も、上記所定時間が経過するまでにドラム１３の外部へ排出されるから、衣類Ｍに高温の温風が当たり続けるのをより確実に防止できる。よって、衣類Ｍの過熱を一層招き難い。
【００４９】
また、ドラム１３の反転後にリードスイッチ３２でドラム１３の回転が検知された後、ドラム１３内へ送り込む空気の加熱を再開させて空気の加熱度合を増加させるから、ドラム１３がすべってドラム１３が回転していない状態で高温の温風がドラム内に吹き込まれない。これにより、ドラム１３の回転異常による衣類の損傷を一層防ぐことができる。
【００５０】
尚、製造時の組立性やコスト面を考慮すれば、上記実施の形態のように、一つの磁石３１でドラム１３の回転状態を判定する構成であるのが望ましいが、ドラム１３の後部で且つ凹部１３２の外周面より外側の位置に複数個（例えば、６個）の磁石３１を等間隔で周設し、ドラム１３の回転に伴ってそれら磁石３１が判定時間内に所定位置に到達した回数（リードスイッチ３２がオン状態になった回数）に基づいてドラム１３の回転状態を判定するように構成しても良い。これによれば、ドラム１３が正常に回転している際のリードスイッチ３２のオン間隔（回転パルスを１回検知するまでに要する時間）が短いから、その分、上記判定時間をより短く設定しておくことが可能である。これにより、ドラム１３の回転異常をより早く検知できるし、乾燥運転全体の動作時間もより短縮できる。
【００５１】
また、上記実施の形態では、ドラム１３の回転状態を判定する回転センサとしてリードスイッチ３２を用いたものを説明したが、上記リードスイッチ３２に代えて反射型の光センサを設けるとともに、上記磁石３１に代えて光反射板を設け、この光センサのオン・オフ情報に基づいてドラム１３の回転状態を判定する構成としても良い。
【００５２】
さらに、上記実施の形態では、ドラム１３の反転指示がなされた場合、バーナユニット１８に組み込まれた比例弁を閉じてガスバーナを消火させ、空気の加熱を停止させるように構成されているが、ドラム１３の反転指示がなされた時点で、上記比例弁を所定の開度まで絞ってガスバーナの燃焼量を低下させ、衣類Ｍに傷みを与えない温度（例えば、１０５℃以下）にまで空気の加熱度合を減少させるように構成しても良い。
【００５３】
上記実施の形態では、ドラム１３と給排気ファン２２とをそれぞれ独立したモータで回転させる構成の衣類乾燥機を例示的に説明したが、本発明は、ドラム１３および給排気ファン２２を共通のモータで回転させる衣類乾燥機にも適用できる。但し、この共通のモータでドラム１３および給排気ファン２２を回転させる衣類乾燥機の場合、上記ＳＴ７のステップでは、ドラム１３の回転を停止させた時点で給排気ファン２２の回転も停止され、上記ＳＴ９のステップでは、ドラム１３の回転を再開させた時点で給排気ファン２２の回転も再開される。
【符号の説明】
【００５４】
１・・・衣類乾燥機
１３・・・ドラム
１５０・・・温風吹出口
１８・・・バーナユニット（加熱手段）
２２・・・給排気ファン（給排気手段）
３１・・・磁石（被検知部）
３２・・・リードスイッチ（回転センサ）
４０・・・制御回路
Ｍ・・・衣類
【図１】
0005616386.tif 000002
【図２】
0005616386.tif 000003
【図３】
0005616386.tif 000004